【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・システムに関連付けられている１つ以上のコンピューティング・デバイスが、複数のノードと、前記ノード同士をつなげる複数のエッジとを備えるソーシャル・グラフを維持する維持工程であって、前記ノードは、
前記ソーシャル・ネットワーキング・システムにユーザに各々が関連付けられている複数のユーザ・ノードと、
各々が概念に関連付けられている複数の概念ノードであって、１つ以上の概念ノードの各々は、対応する位置に関連付けられている、概念ノードと、を備える、前記維持工程と、
前記ソーシャル・ネットワーキング・システムに関連付けられている前記１つ以上のコンピューティング・デバイスが、位置に関係するソーシャル情報に対する要求を、ソーシャル情報を求める要求をするユーザに関連付けられているコンピューティング・デバイスから受信する受信工程であって、前記要求が、要求をする前記ユーザに関連付けられているコンピューティング・デバイスの位置と、要求をする前記ユーザに関連付けられているコンピューティング・デバイスの配向と、要求をする前記ユーザに関する識別子とを含む、前記受信工程と、
前記ソーシャル・ネットワーキング・システムに関連付けられている前記１つ以上のコンピューティング・デバイスが、要求をする前記ユーザに関連付けられているコンピューティング・デバイスのしきい値距離内の対応する位置に関連付けられている前記１つ以上の概念ノードの各々に関する関連性スコアを決定する決定工程であって、前記関連性スコアは、前記要求と、要求をする前記ユーザに関連付けられているコンピューティング・デバイスのしきい値距離内の対応する位置を伴う前記１つ以上の概念ノードの各々に関する時間値であって、前記時間値は、現在時刻が前記概念ノードに割り当てられている配信時間範囲内に存在するか否かに基づく、時間値と、前記ソーシャル・ネットワーキング・システムによって維持されている、要求をする前記ユーザに関連付けられているソーシャル・ネットワーキング情報と、前記概念ノードに関連付けられている対応する前記位置とに基づき、決定される、前記決定工程と、
前記ソーシャル・ネットワーキング・システムに関連付けられている前記１つ以上のコンピューティング・デバイスが、前記関連性スコアに基づいて、要求をする前記ユーザに関連付けられているコンピューティング・デバイスのしきい値距離内の概念ノードのうちの少なくとも１つに関連付けられているソーシャル・ネットワーキング情報を、要求をす
る前記ユーザに関連付けられているコンピューティング・デバイスのしきい値距離内の１つ以上の前記概念ノードに関連付けられている少なくとも１つの位置のライブ・ビデオ画像とともに、要求をする前記ユーザに関連付けられているコンピューティング・デバイスに表示させる工程と
を備える方法。
【請求項２】
要求をする前記ユーザに関連付けられている前記コンピューティング・デバイスが、画面、ヘッドアップ・ディスプレイ、カメラ、ジャイロスコープ、コンパス、またはそれらの任意の組合せを含む、請求項１に記載の方法。
【請求項３】
前記ソーシャル・ネットワーキング情報が、
１つ以上のカテゴリーによって、要求をする前記ユーザに関する親密度情報と、
要求をする前記ユーザと前記ソーシャル・ネットワーキング・システムの複数の他のユーザとの間の複数のつながりと
を含む、請求項１に記載の方法。
【請求項４】
前記決定工程が、前記関連性スコアを決定するために、位置値と、関心値と、つながり値と、時間値とを組み合わせる工程を含む、請求項１に記載の方法。
【請求項５】
前記決定工程が、要求をする前記ユーザに関連付けられているコンピューティング・デバイスのしきい値距離内の対応する位置を伴う１つ以上の概念ノードの各々に関する位置値を決定する工程を含み、該位置値は、（１）前記概念ノードに関連付けられている前記位置と、要求をする前記ユーザに関連付けられているコンピューティング・デバイスの前記位置との間の近接性、（２）要求をする前記ユーザに関連付けられているコンピューティング・デバイスの前記配向、または（３）それらの任意の組合せに基づく、請求項１に記載の方法。
【請求項６】
前記決定工程が、要求をする前記ユーザに関連付けられているコンピューティング・デバイスのしきい値距離内の対応する位置を伴う１つ以上の概念ノードの各々に関する関心値を決定する工程を含み、該関心値は、前記概念ノードに関連付けられているカテゴリーが要求をする前記ユーザに関する親密度情報に関連付けられている前記１つ以上のカテゴリーに含まれるか否かに基づく、請求項１に記載の方法。
【請求項７】
前記決定工程が、要求をする前記ユーザに関連付けられているコンピューティング・デバイスのしきい値距離内の対応する位置を伴う１つ以上の概念ノードの各々に関するつながり値を決定する工程を含み、該つながり値は、前記概念ノードに対する、要求をする前記ユーザのつながりの数に基づく、請求項１に記載の方法。
【請求項８】
前記概念ノードに割り当てられている配信時間範囲が前記配信時間範囲に関連付けられている行動を有し、前記行動が要求をする前記ユーザによって実行される、請求項１に記載の方法。
【請求項９】
前記概念ノードに割り当てられている配信時間範囲は、前記概念ノードが要求をする前記ユーザによって受信されるのに適しているか否かを示している、請求項１に記載の方法。
【請求項１０】
要求をする前記ユーザに関連付けられているコンピューティング・デバイスの位置を含む位置情報を受信する工程をさらに備える、請求項１に記載の方法。
【請求項１１】
前記位置情報が所定の間隔により前記コンピューティング・デバイスから受信される、
請求項１０に記載の方法。
【請求項１２】
前記ソーシャル・グラフのノードに対する要求をする前記ユーザの露出を記憶する工程をさらに備える、請求項１に記載の方法。
【請求項１３】
前記概念ノードのうちの少なくとも１つに対する、要求をする前記ユーザの露出に基づいて、要求をする前記ユーザに関連付けられているコンピューティング・デバイスのしきい値距離内の対応する位置を伴う概念ノードのうちの前記少なくとも１つの前記関連性スコアを調整する工程をさらに備える、請求項１２に記載の方法。
【請求項１４】
前記概念ノードを該概念ノードの関連性スコアによってランク付けする工程をさらに備える、請求項１に記載の方法。
【請求項１５】
要求をする前記ユーザに関連付けられているコンピューティング・デバイスのしきい値距離内の前記概念ノードのうちの少なくとも１つとの関連付けにより、要求をする前記ユーザによる行動を示す指示を受信する工程と、
前記指示に応じて、前記ソーシャル・グラフを更新する工程と
をさらに備える、請求項１に記載の方法。
【請求項１６】
前記ソーシャル・グラフの前記１つ以上のノードが、第三者によって提供されている情報、前記ソーシャル・ネットワーキング・システムとのユーザの対話に関する情報、またはそれらの任意の組合せを含む、請求項１に記載の方法。
【請求項１７】
実行時に、
ソーシャル・ネットワーキング・システムに関連付けられている１つ以上のコンピューティング・デバイスが、複数のノードと、前記ノード同士をつなげる複数のエッジとを備えるソーシャル・グラフを維持する維持工程であって、前記ノードは、
前記ソーシャル・ネットワーキング・システムにユーザに各々が関連付けられている複数のユーザ・ノードと、
各々が概念に関連付けられている複数の概念ノードであって、１つ以上の前記概念ノードの各々は、対応する位置に関連付けられている、概念ノードと、を備える、前記維持工程と、
前記ソーシャル・ネットワーキング・システムに関連付けられている前記１つ以上のコンピューティング・デバイスが、位置に関係するソーシャル情報に対する要求を、ソーシャル情報を求める要求をするユーザに関連付けられているコンピューティング・デバイスから受信する受信工程であって、前記要求が、要求をする前記ユーザに関連付けられているコンピューティング・デバイスの位置と、要求をする前記ユーザに関連付けられているコンピューティング・デバイスの配向と、要求をする前記ユーザに関する識別子とを含む、前記受信工程と、
前記ソーシャル・ネットワーキング・システムに関連付けられている前記１つ以上のコンピューティング・デバイスが、要求をする前記ユーザに関連付けられているコンピューティング・デバイスのしきい値距離内の対応する位置に関連付けられている前記１つ以上の概念ノードの各々に関する関連性スコアを決定する決定工程であって、前記関連性スコアは、前記要求と、要求をする前記ユーザに関連付けられているコンピューティング・デバイスのしきい値距離内の対応する位置を伴う前記１つ以上の概念ノードの各々に関する時間値であって、前記時間値は、現在時刻が前記概念ノードに割り当てられている配信時間範囲内に存在するか否かに基づく、時間値と、前記ソーシャル・ネットワーキング・システムによって維持されている、要求をする前記ユーザに関連付けられているソーシャル・ネットワーキング情報と、近接する前記概念ノードに関連付けられている対応する前記位置とに基づき、決定される、前記決定工程と、
前記ソーシャル・ネットワーキング・システムに関連付けられている前記１つ以上のコンピューティング・デバイスが、前記関連性スコアに基づいて、要求をする前記ユーザに関連付けられているコンピューティング・デバイスのしきい値距離内の概念ノードのうちの少なくとも１つに関連付けられているソーシャル・ネットワーキング情報を、要求をする前記ユーザに関連付けられているコンピューティング・デバイスのしきい値距離内の１つ以上の前記概念ノードに関連付けられている少なくとも１つの位置のライブ・ビデオ画像とともに、要求をする前記ユーザに関連付けられているコンピューティング・デバイスに表示させる工程と
を行うように動作可能なソフトウェアを具現化する、１つ以上のコンピュータ可読非一時的記憶媒体。
【請求項１８】
ソーシャル・ネットワーキング・システムに関連付けられている１つ以上のプロセッサと、
前記プロセッサによって実行可能な命令を含み前記プロセッサに結合されているメモリと
を備える
ソーシャル・ネットワーキング・システムであって、前記プロセッサが、前記命令の実行時に、
複数のノードと、前記ノード同士をつなげる複数のエッジとを備えるソーシャル・グラフを維持する維持工程であって、前記ノードは、
前記ソーシャル・ネットワーキング・システムにユーザに各々が関連付けられている複数のユーザ・ノードと、
各々が概念に関連付けられている複数の概念ノードであって、１つ以上の概念ノードの各々は、対応する位置に関連付けられている、概念ノードと、を備える、前記維持工程と、
位置に関係するソーシャル情報に対する要求を、ソーシャル情報を求める要求をするユーザに関連付けられているコンピューティング・デバイスから受信する受信工程であって、前記要求が、要求をする前記ユーザに関連付けられているコンピューティング・デバイスの位置と、要求をする前記ユーザに関連付けられているコンピューティング・デバイスの配向と、要求をする前記ユーザに関する識別子とを含む、前記受信工程と、
要求をする前記ユーザに関連付けられているコンピューティング・デバイスのしきい値距離内の対応する位置に関連付けられている前記１つ以上の概念ノードの各々に関する関連性スコアを決定する決定工程であって、前記関連性スコアは、前記要求と、要求をする前記ユーザに関連付けられているコンピューティング・デバイスのしきい値距離内の対応する位置を伴う前記１つ以上の概念ノードの各々に関する時間値であって、前記時間値は、現在時刻が前記概念ノードに割り当てられている配信時間範囲内に存在するか否かに基づく、時間値と、前記ソーシャル・ネットワーキング・システムによって維持されている、要求をする前記ユーザに関連付けられているソーシャル・ネットワーキング情報と、前記概念ノードに関連付けられている対応する前記位置とに基づき、決定される、前記決定工程と、
前記関連性スコアに基づいて、要求をする前記ユーザに関連付けられているコンピューティング・デバイスのしきい値距離内の概念ノードのうちの少なくとも１つに関連付けられているソーシャル・ネットワーキング情報を、要求をする前記ユーザに関連付けられているコンピューティング・デバイスのしきい値距離内の１つ以上の前記概念ノードに関連付けられている少なくとも１つの位置のライブ・ビデオ画像とともに、要求をする前記ユーザに関連付けられているコンピューティング・デバイスに表示させる工程と
を行うように動作可能な、ソーシャル・ネットワーキング・システム。
【請求項１９】
要求をする前記ユーザに関連付けられているコンピューティング・デバイスのしきい値距離内の少なくとも１つの概念ノードに関連付けられている前記ソーシャル・ネットワー
キング情報が、要求をする前記ユーザに関連付けられているコンピューティング・デバイスに提供される、請求項１８に記載のソーシャル・ネットワーキング・システム。